(57)【特許請求の範囲】
【請求項１】
内扉本体と外扉本体、及び互いに平行な直線状の内側移動経路と外側移動経路を備え、内扉本体は、内側移動経路の一端側の内扉閉じ位置と他端側の内扉開き位置との間を横動自在に支持され、外扉本体は、外側移動経路の一端側で前記内扉閉じ位置の外側に重なる外扉開き位置と当該外側移動経路の他端側の外扉退避位置との間の外側移動経路上の横動と、前記外扉退避位置とこの内側の内側移動経路の前記内扉開き位置に重なる外扉閉じ位置との間の前後平行移動とを可能にする外扉吊下げ横動手段によって吊り下げられている引き違い戸装置であって、
外扉本体の下端の移動経路を規制する外扉下端移動経路規制手段が設けられ、この外扉下端移動経路規制手段は、外扉本体が前記外扉閉じ位置にあって且つ内扉本体が前記内扉閉じ位置にあるときに、当該内扉本体の下端より低い位置で当該内扉本体の裏側へ延出する水平支持板と、この水平支持板の遊端上側に垂直支軸によって軸支された外扉位置決め用ローラーと、内扉本体の裏面下端部に取り付けられた、前記外扉位置決め用ローラーが嵌合する下側開放の外扉用ガイドレールとによって構成され、前記外扉用ガイドレールには、内側移動経路上で直列する内外両扉本体が相対的に接近移動したときに外扉本体を前記外扉閉じ位置から前記外扉退避位置へ平行移動させる円弧形ガイドレール部と、前記外扉退避位置と外扉開き位置との間で外扉本体を直線移動させる直線状ガイドレール部から構成されている引き違い戸装置において、
前記外扉用ガイドレールは、内扉本体と外扉本体とによって開閉される収納空間の底面を形成する地板の下側に入り込んでおり、前記内扉本体の上端側を、前記内扉閉じ位置と前記内扉開き位置との間で横動自在に吊り下げる内扉上端側吊下げ手段と、当該内扉本体の下端側の前後揺れを防止する内扉下端側揺れ止め手段とが設けられ、前記内扉下端側揺れ止め手段は、内扉本体の裏側に取り付けられた上側開放の内扉用ガイドレールと、内扉本体が内扉閉じ位置と内扉開き位置との間を横動する間中、前記内扉用ガイドレールに嵌合している少なくとも１つの位置固定ガイドローラーとから成り、この位置固定ガイドローラーは、前記地板の下側に軸支され、前記内扉用ガイドレールは、前記外扉用ガイドレールの上側に一体に設けられている、引き違い戸装置。
【発明の詳細な説明】
【技術分野】
【０００１】
本発明は、比較的小型の収納家具における収納空間の開閉に好適な引き違い戸装置に関するものである。
【背景技術】
【０００２】
この種の引き違い戸装置としては、特許文献１にも示されるように、内扉本体と外扉本体、及び互いに平行な直線状の内側移動経路と外側移動経路を備え、内扉本体は、内側移動経路の一端側の内扉閉じ位置と他端側の内扉開き位置との間を左右横動自在に支持され、外扉本体は、前記内扉閉じ位置の外側に重なる外側移動経路の一端側の外扉開き位置と当該外側移動経路の他端側の外扉退避位置との間の外側移動経路上の左右直線移動と、前記外扉退避位置とこの内側の内側移動経路の前記内扉開き位置に重なる外扉閉じ位置との間の前後平行移動とを可能にする吊下げ横動手段によって吊り下げられ、この外扉吊下げ横動手段には、内側移動経路上で直列する内外両扉本体が相対的に接近移動したときに外扉本体を前記外扉閉じ位置から前記外扉退避位置へ平行移動させる機能が備えられている引き違い戸装置が知られている。
【先行技術文献】
【特許文献】
【０００３】
【特許文献１】特開２０１８-１８８８４２号公報
【発明の概要】
【発明が解決しようとする課題】
【０００４】
上記のような引き違い戸装置において、前記吊下げ横動手段によって吊り下げられて横動及び前後平行移動する外扉本体の下端側も、当該外扉本体が常に上下垂直姿勢を保って横動及び前後平行移動できるように構成しなければならないが、特許文献１にも示されるように、従来は、外扉本体の下端側も、外扉本体を横動及び前後平行移動できるように吊り下げている吊下げ横動手段と基本的に同一の支持案内手段によって支持案内するように構成されていた。従って、外扉本体の下端側の支持案内手段の構成が複雑で部品点数も多く、安価に実施できないという問題点があった。
【課題を解決するための手段】
【０００５】
本発明は、上記のような従来の問題点を解消することのできる引き違い戸装置を提案するものであって、本発明に係る引き違い戸装置は、後述する実施例との関係を理解し易くするために、当該実施例の説明において使用した参照符号を括弧付きで付して示すと、内扉本体(1)と外扉本体(2)、及び互いに平行な直線状の内側移動経路(9)と外側移動経路(10)を備え、内扉本体(1)は、内側移動経路(9)の一端側の内扉閉じ位置(A)と他端側の内扉開き位置(E)との間を左右横動自在に支持され、外扉本体(2)は、外側移動経路(10)の一端側で前記内扉閉じ位置(A)の外側に重なる外扉開き位置(D)と当該外側移動経路(10)の他端側の外扉退避位置(C)との間の外側移動経路(10)上の横動と、前記外扉退避位置(C)とこの内側の内側移動経路(9)の前記内扉開き位置(E)に重なる外扉閉じ位置(B)との間の前後平行移動とを可能にする外扉吊下げ横動手段(52)によって吊り下げられている引き違い戸装置であって、
外扉本体(2)の下端の移動経路を規制する外扉下端移動経路規制手段(53)が設けられ、この外扉下端移動経路規制手段(53)は、外扉本体(2)が前記外扉閉じ位置(B)にあって且つ内扉本体(1)が前記内扉閉じ位置(A)にあるときに、当該内扉本体(1)の下端より低い位置で当該内扉本体(1)の裏側へ延出する水平支持板(44)と、この水平支持板(44)の遊端上側に垂直支軸によって軸支された外扉位置決め用ローラー(45)と、内扉本体(1)の裏面下端部に取り付けられて前記外扉位置決め用ローラー(45)が嵌合する下側開放の外扉用ガイドレール(19)によって構成され、前記外扉用ガイドレール(19)には、内側移動経路(9)上で直列する内外両扉本体(1,2)が相対的に接近移動したときに外扉本体(2)を前記外扉閉じ位置(B)から前記外扉退避位置(C)へ平行移動させる円弧形ガイドレール部(19a)と、前記外扉退避位置(C)と外扉開き位置(D)との間で外扉本体(2)を直線移動させる直線状ガイドレール部(19b)から構成されている引き違い戸装置において、
前記外扉用ガイドレール(19)は、内扉本体(1)と外扉本体(2)とによって開閉される収納空間(3)の底面を形成する地板(6)の下側に入り込んでおり、前記内扉本体(1)の上端側を、前記内扉閉じ位置(A)と前記内扉開き位置(E)との間で横動自在に吊り下げる内扉上端側吊下げ手段(54)と、当該内扉本体(1)の下端側の前後揺れを防止する内扉下端側揺れ止め手段(55)とが設けられ、前記内扉下端側揺れ止め手段(55)は、内扉本体(1)の裏側に取り付けられた上側開放の内扉用ガイドレール(20)と、内扉本体(1)が内扉閉じ位置(A)と内扉開き位置(E)との間を横動する間中、前記内扉用ガイドレール(20)に嵌合している少なくとも１つの位置固定ガイドローラー(50)とから成り、この位置固定ガイドローラー(50)は、前記地板(6)の下側に軸支され、前記内扉用ガイドレール(20)は、前記外扉用ガイドレール(19)の上側に一体に設けられている。
【発明の効果】
【０００６】
上記本発明の構成によれば、外扉吊下げ横動手段は、基本的に従来周知のものを利用することになるが、当該外扉吊下げ横動手段で吊り下げられている外扉本体の下端の移動経路を、当該外扉本体が常に上下垂直姿勢を保って前記前後平行移動と直線移動とを行えるように規制する外扉下端移動経路規制手段が、この外扉本体に水平支持板を介して取り付けられた外扉位置決め用ローラーと、内扉本体側に取り付けられた外扉用ガイドレールによって構成されており、水平揺動アームなど、外扉吊下げ横動手段側の構成と基本的に同一の構造から成る従来の外扉下端移動経路規制手段と比較して構造が極めてシンプルで、且つ極少ない部品点数で構成できるので、非常に安価に実施することができる。
【０００７】
又、前記外扉用ガイドレール(19)は、内扉本体(1)と外扉本体(2)とによって開閉される収納空間(3)の底面を形成する地板(6)の下側に入り込むように構成されているので、内扉本体や外扉本体を開いたときに視界に入る地板の上側に、ガイドレールその他の部品が露出することがなく、見た目が良いだけでなく、地板上に対する収納物の出し入れにも影響がない。
【０００８】
更に、前記内扉本体(1)の上端側を、前記内扉閉じ位置(A)と前記内扉開き位置(E)との間で横動自在に吊り下げる内扉上端側吊下げ手段(54)と、当該内扉本体(1)の下端側の前後揺れを防止する内扉下端側揺れ止め手段(55)とが設けられ、前記内扉下端側揺れ止め手段(55)は、内扉本体(1)の裏側に取り付けられた上側開放の内扉用ガイドレール(20)と、内扉本体(1)が内扉閉じ位置(A)と内扉開き位置(E)との間を横動する間中、前記内扉用ガイドレール(20)に嵌合している少なくとも１つの位置固定ガイドローラー(50)とから構成し、この位置固定ガイドローラー(50)は、前記地板(6)の下側に軸支し、前記内扉用ガイドレール(20)は、前記外扉用ガイドレール(19)の上側に一体に設けているので、内扉本体の支持構造も極めてシンプルになり、全体を非常に安価に実施することが出来る。
【図面の簡単な説明】
【０００９】
【図１】図１は、収納家具全体の正面図である。
【図２】図２は、収納家具の収納空間が内扉本体と外扉本体とによって閉じられている状態を、天板を取り外した状態で示す概略平面図である。
【図３】図３は、図２の外扉本体を開動させた状態を示す概略平面図である。
【図４】図４は、図２の内扉本体を開動させた状態を示す概略平面図である。
【図５】図５は、図２の内外両扉本体の上端側を詳細に示す横断平面図である。
【図６】図６は、図２の内外両扉本体の下端側を詳細に示す横断平面図である。
【図７】図７は、図３の内外両扉本体の上端側を詳細に示す横断平面図である。
【図８】図８は、図３の内外両扉本体の下端側を詳細に示す横断平面図である。
【図９】図９は、図４の内外両扉本体の上端側を詳細に示す横断平面図である。
【図１０】図１０は、図４の内外両扉本体の下端側を詳細に示す横断平面図である。
【図１１】図１１は、図５のＡ−Ａ線拡大断面図である。
【図１２】図１２は、図５のＢ−Ｂ線拡大断面図である。
【図１３】図１３は、図６のＣ−Ｃ線拡大断面図である。
【図１４】図１４は、図７のＤ−Ｄ線拡大断面図である。
【図１５】図１５は、図８のＥ−Ｅ線拡大断面図である。
【図１６】図１６は、図１０のＦ−Ｆ線拡大断面図である。
【図１７】図１７は、内扉本体の一部切欠き背面図である。
【図１８】図１８は、内扉本体の上端側を示す平面図である。
【図１９】図１９は、内扉本体の上端側を示す横断底面図である。
【図２０】図２０は、内扉本体の下端側を示す横断平面図である。
【図２１】図２１は、内扉本体の下端側を示す底面図である。
【図２２】図２２は、外扉本体の横動体側を省略した背面図である。
【図２３】図２３Ａは、外扉本体、平行水平揺動アーム、及び横動体を示す平面図、図２３Ｂは外扉本体の下端側を示す横断平面図である。
【図２４】図２４は、平行水平揺動アームと横動体を示す背面図である。
【図２５】図２５は、同上正面図である。
【図２６】図２６は、同上横断底面図である。
【発明を実施するための形態】
【００１０】
先ず、従来周知の一般的な引き違い戸装置の機能を図１〜図４に基いて説明すると、１は内扉本体、２は外扉本体、３は収納空間である。収納空間３は、左右両側板４ａ，４ｂと天板５、及び地板６によって形成されたもので、その前面開口部が、内扉本体１と外扉本体２によって開閉される。内外両扉本体１，２の表側には、その外側辺近傍の適当高さに開閉操作用の把手部材７，８が取り付けられている。尚、左右両側板４ａ，４ｂの前端面は、図１及び図２に示すように、内扉本体１と外扉本体２が一直線上に直列した全閉状態にあるときに、内外両扉本体１，２の外側辺が少し外側に被さることができる位置にあり、天板５の前端面は、図１及び図２に示すように、内扉本体１と外扉本体２が前記全閉状態にあるときに、これら内外両扉本体１，２の表面と面一になる位置にあり、そして地板６は、その前端面が、図１及び図２に示すように、内扉本体１と外扉本体２が前記全閉状態にあるときに、これら内外両扉本体１，２の下端より所要高さ上方の裏面に適当な隙間を隔てて対面することができる位置にあるように構成されている。
【００１１】
図２に示すように、地板６の前端面の前側には、当該前端面と平行に直線状の内側移動経路９と外側移動経路１０が設定されており、内扉本体１は、内側移動経路９内でのみ横動自在に構成され、外扉本体２は、内側移動経路９と外側移動経路１０との間の前後平行移動と、外側移動経路１０内での横動とが可能に構成されている。そして内扉本体１と外扉本体２が内側移動経路９内で一直線上に直列して、収納空間３の開口を全閉する全閉状態にあるとき、内扉本体１は内扉閉じ位置Ａにあり、外扉本体２は外扉閉じ位置Ｂにある。係る状態から、外扉本体２を内扉本体１のある側へ開動させると、外扉本体２は、内扉本体１の内側辺と突き合うことなく、内側移動経路９内から外側移動経路１０内へ斜めに平行移動して外扉退避位置Ｃに達した後に、当該外側移動経路１０内を開動して、図３に示す内扉閉じ位置Ａにある内扉本体１の外側に重なる外扉開き位置Ｄに達する。この結果収納空間３は、図２に示す外扉閉じ位置Ｂのある側が開かれる。これとは逆に、内扉本体１と外扉本体２が前記全閉状態にある状態から内扉本体１を外扉本体２のある側へ開動させると、図４に示すように、外扉本体２は、内扉本体１の内側辺と突き合う前に内側移動経路９内から外側移動経路１０内へ斜めに平行移動して外扉退避位置Ｃに退避し、その後に内扉本体１が外扉退避位置Ｃにある外扉本体２の内側に重なる内扉開き位置Ｅに到達し、収納空間３は、図２に示す内扉閉じ位置Ａのある側が開かれる。尚、外扉閉じ位置Ｂと内扉開き位置Ｅとは何れも内側移動経路９内にあるが、それぞれの位置は、内側移動経路９の長さ方向にずれている。
【００１２】
以上のように動作する引き違い戸装置の本発明の一実施例を、図５以下の添付図に基いて説明すると、図５、図１１、及び図１２は、図２に示した全閉状態の内外両扉本体１，２の上端側の具体構造を示し、図６及び図１３は、当該全閉状態の内外両扉本体１，２の下端側の具体構造を示している。又、図７及び図１４は、図３に示した外扉本体２を開いた状態での内外両扉本体１，２の上端側の具体構造を示し、図８及び図１５は、当該外扉本体２を開いた状態での内外両扉本体１，２の下端側の具体構造を示している。そして図９は、図４に示した内扉本体１を開いた状態での内外両扉本体１，２の上端側の具体構造を示し、図１０及び図１６は、当該内扉本体１を開いた状態での内外両扉本体１，２の下端側の具体構造を示している。
【００１３】
内扉本体１は、図１７〜図２１に示すように、裏側の上側辺のほぼ全域にわたって取り付けられた帯状基板１１上に、移動方向前後一対のローラーユニット１２，１３が取り付けられ、裏側の下側辺のほぼ全域にわたってガイドレールユニット１４が取り付けられている。各ローラーユニット１２，１３の帯状基板１１上に取り付けられる垂直基台部１２ａ，１３ａには、前後水平支軸の周りに回転自在な支持用ローラー１５と、上下垂直支軸の周りに回転自在な振れ止め用ローラー１６が取り付けられ、内扉本体１の内側辺側のローラーユニット１２には、垂直基台部１２ａの上端に側面視でＴ字形に上端水平基台部１２ｂが設けられ、この上端水平基台部１２ｂの垂直基台部１２ａに対して内扉本体１側に突出する内側突出領域は、内扉本体１の切欠き部に嵌合している。この上端水平基台部１２ｂの上面は、内扉本体１の上端面と面一であって、この上端水平基台部１２ｂの上面側に、上側開放の屈曲形ガイドレール溝１７が設けられている。この屈曲形ガイドレール溝１７は、平面視において、内扉本体１の内側辺側の一端部が当該内扉本体１の板厚内に入り込み、他端側は、その内扉本体１の表面側の溝側面が帯状基板１１の表面と面一になる状態で開放されている。又、反対側のローラーユニット１３には、内扉本体１の外側辺側の端部にクッション材１８が取り付けられている。
【００１４】
図１３、図１５〜図１７、図２１、及び図２２に示すように、ガイドレールユニット１４は、内扉本体１の内側辺側の長さの短い端部領域１４ａと、この端部領域１４ａから内扉本体１の外側辺近傍位置までの直線状領域１４ｂとに二分割されており、両領域の上端から内扉本体１の裏面に沿って上向きに突設された取付け用板部１４ｃ，１４ｄが内扉本体１の裏面にネジ止めされている。このガイドレールユニット１４は、下側開放の外扉用ガイドレール１９と、この外扉用ガイドレール１９の上側に一体に成形された上側開放の内扉用ガイドレール２０を備えている。内扉用ガイドレール２０は、その全長にわたって内扉本体１の裏面に隣接する直線状ガイドレール部２０ａを備え、外扉用ガイドレール１９は、端部領域１４ａ内に形成された円弧形ガイドレール部１９ａと、当該円弧形ガイドレール部１９ａに接続するように直線状領域１４ｂに形成された直線状ガイドレール部１９ｂとを備えており、この外扉用ガイドレール１９の下端が内扉本体１の下端面と面一になるように取り付けられている。円弧形ガイドレール部１９ａは、平面視において、内扉本体１の裏面に隣接する直線状ガイドレール部１９ｂとの接続端から離れるに従って内扉本体１の裏面から遠ざかるように屈曲するもので、この円弧形ガイドレール部１９ａを備える端部領域１４ａの下半部は、内扉用ガイドレール２０を備える端部領域１４ａの上半部に対して、円弧形ガイドレール部１９ａに沿って内扉本体１の裏面から遠ざかるように突出している。
【００１５】
外扉本体２は、図５及び図２２〜図２６に示すように、当該外扉本体２の裏面上端の内側辺近傍位置と外側辺近傍位置の２か所に、平行水平揺動アーム２１，２２の一端を軸支する軸受けユニット２３，２４が取り付けられている。これら両軸受けユニット２３，２４は、外扉本体２の裏面にネジ止めされる取付け用基板２３ａ，２４ａの裏側に、外扉本体２の裏面側に形成された凹窪部内に嵌合する軸受け部材２３ｂ，２４ｂが取り付けられたもので、この軸受け部材２３ｂ，２４ｂに、垂直軸心の周りに自転可能に回転軸２５，２６が支持され、これら回転軸２５，２６の軸受け部材２３ｂ，２４ｂから上向きに突出する上端に平行水平揺動アーム２１，２２の内端部が固定されている。これら平行水平揺動アーム２１，２２は、回転軸２５，２６に固定されている内端部に対して外端部が外扉本体２の開動方向側（外扉本体２の外側辺に対して内側辺のある側）に斜め内側へ延出する向きに平面視で傾斜しており、各回転軸２５，２６には、平行水平揺動アーム２１，２２を外扉本体２の上側に引き寄せる方向の回転力を生じさせるための捩じりコイルバネ２７，２８が装着されている。軸受けユニット２３，２４の内、外扉本体２の外側辺側の軸受けユニット２４には、その取付け用基板２４ａに、内扉本体１を受け止めるクッション材２９ａを備えたストッパー２９が取り付けられている。
【００１６】
平行水平揺動アーム２１，２２の外端部には、平面視で外扉本体２と平行な横動体３０が連結されている。この横動体３０は、図２４〜図２６に示すように、外扉本体２に面する側が開放した溝形型鋼３１の両端に、互いに同一構造の軸受け部材３２，３３を内嵌固定したものであって、各軸受け部材３２，３３には、これら軸受け部材３２，３３を上下方向に貫通する垂直支軸３４，３５と、これら垂直支軸３４，３５に対して同一側に隣り合うように前後水平向きの支軸の周りに回転自在な支持用ローラー３６，３７が取り付けられ、各垂直支軸３４，３５の上下両端には、当該垂直支軸３４，３５の周りに回転自在な振れ止め用ローラー３８ａ，３８ｂ及び３９ａ，３９ｂが取り付けられ、平行水平揺動アーム２１の外端は、軸受け部材３２側の垂直支軸３４の、上側の振れ止め用ローラー３８ａと軸受け部材３２との間の位置に相対回転自在に支持され、平行水平揺動アーム２２の外端は、軸受け部材３３側の垂直支軸３５の、上側の振れ止め用ローラー３９ａと軸受け部材３３との間の位置に相対回転自在に支持されている。
【００１７】
横動体３０の溝形型鋼３１に対する軸受け部材３２，３３の位置決めは、溝形型鋼３１の上下両側板間に軸受け部材３２，３３を挟んで位置決めするのではなく、溝形型鋼３１の上下垂直向きの底板部に長さ方向と平行に内側へ突出するように形成した突条部３１ａ，３１ｂと、軸受け部材３２，３３に形成された凹溝部との嵌合と、突条部３１ａ，３１ｂに設けられた前後一対の貫通孔と、軸受け部材３２，３３に形成された各２本ずつの突出軸部３２ａ，３３ａとの嵌合により、溝形型鋼３１に対して軸受け部材３２，３３を位置決めした状態で、各々複数本のビス３２ｂ，３３ｂにより軸受け部材３２，３３を溝形型鋼３１に取り付けている。而して、上記構成により、前後一対の平行水平揺動アーム２１，２２の両端の回転軸２５，２６と垂直支軸３４，３５の４つの軸心を四角形の各頂点に位置するように結ぶと、平面視で平行四辺形が形成され、前後一対の平行水平揺動アーム２１，２２の平行水平揺動を伴って、横動体３０と外扉本体２が前後に平行相対移動することができる。外扉本体２と横動体３０は、捩じりコイルバネ２７，２８によって平行水平揺動アーム２１，２２に与えられている回転力により、互いに接近する方向に付勢されていることになる。
【００１８】
平行水平揺動アーム２１，２２の内、外扉本体２の内側辺側の平行水平揺動アーム２１は、横動体３０に垂直支軸３４で軸支される端部から小アーム部４０が、垂直支軸３４と回転軸２５とを結ぶ水平仮想線に対してほぼ直角外向きに一体に連設された、平面形状がＬ字形のものであって、その小アーム部４０の遊端下側には、外扉本体２の姿勢制御用ガイドローラー４１が上下垂直向きの支軸によって回転自在に軸支されている。又、図７及び図９に示すように、横動体３０と外扉本体２とが、両者間の間隔が所定距離に達するまで互いに離間移動したとき、平行水平揺動アーム２１，２２の外扉本体２側の端部に突設された突起部２１ａ，２２ａが当接して、それ以上の横動体３０と外扉本体２との離間移動を阻止するストッパー４２，４３が、軸受けユニット２３，２４における軸受け部材２３ｂ，２４ｂの上端に突設されている。
【００１９】
外扉本体２の裏面側下端の内側辺側には、図２２及び図２３Ｂに示すように、外扉本体２の裏面に取り付けられた水平支持板４４の先端上側に上下垂直支軸の周りに回転自在に軸支された外扉位置決め用ローラー４５が設けられている。水平支持板４４は、外扉本体２の下端面より低い高さで当該外扉本体２の裏面から内側へ離れると共に、この外扉本体２の外側辺から遠ざかる方向に水平に延出する、平面視でＬ字形のものであって、この水平支持板４４の先端上側に軸支された外扉位置決め用ローラー４５は、この外扉本体２の内側辺に対して当該外扉本体２の裏面より所要距離だけ内側に離れた位置に配置されている。尚、内扉本体１の内側辺には、図１７及び図１８に示すように、この内扉本体１の板厚の半分ほど表面側を切除して形成した凹入段部１ａが形成され、外扉本体２の内側辺には、内外両扉本体１，２が直線状に直列したときに、前記凹入段部１ａに入り込んで重なる突条部２ａが形成されている。
【００２０】
以上のように構成された内扉本体１と外扉本体２が組み込まれる収納家具側の構造を説明すると、図５及び図１１などに示されるように、収納空間３の開口部の上端に位置するように天板５の下側に、図２に示す内側移動経路９に沿って内外両扉本体１，２の吊下げ用ガイドレール４６が取り付けられている。この吊下げ用ガイドレール４６は、外扉本体２に組み付けられている横動体３０のための主ガイドレール部４７と、この主ガイドレール部４７の下半部の前側に一体に形成された内扉本体１のための副ガイドレール部４８とから構成されている。主ガイドレール部４７には、横動体３０の前後一対の軸受け部材３２，３３の支持用ローラー３６，３７を転動自在に支持する支持レール部４７ａと、軸受け部材３２，３３の振れ止め用ローラー３８ａ〜３９ｂが上下方向に嵌合する上下一対の振れ止め用レール部４７ｂ，４７ｃが設けられ、副ガイドレール部４８には、内扉本体１の前後一対のローラーユニット１２，１３が備える支持用ローラー１５を転動自在に支持する支持レール部４８ａと、振れ止め用ローラー１６が嵌合する振れ止め用レール部４８ｂが設けられている。そしてこの吊下げ用ガイドレール４６の上下一対の振れ止め用レール部４７ｂ，４７ｃの内、上側の振れ止め用レール部４７ｂは、天板５の下側面に形成された凹入溝部５ａ内に嵌合している。この吊下げ用ガイドレール４６は、その両端部が、左右両側板４ａ，４ｂの内側面に取り付けられたガイドレール支持ユニット４９ａ，４９ｂに嵌合することにより、天板５の直下に水平に架設されている。
【００２１】
地板６には、図６に示すように、内外両扉本体１，２が内側移動経路９内で直列する全閉状態にあるとき、内扉本体１の内側辺の内側に隣り合うように、位置固定ガイドローラー５０が設けられている。この位置固定ガイドローラー５０は、図１６に示すように、地板６の底面に取り付けられた軸受け板５１の下側に上下垂直支軸の周りに回転自在に軸支されたもので、平面視では、地板６の前側端面より位置固定ガイドローラー５０の一部が前側に突出している。
【００２２】
内扉本体１は、その裏面側上端の前後一対のローラーユニット１２，１３における支持用ローラー１５と振れ止め用ローラー１６が、図１１に示すように天板５の下側の吊下げ用ガイドレール４６の副ガイドレール部４８内に嵌合して、支持用ローラー１５が支持レール部４８ａ上に転動自在に載置支持されると共に、振れ止め用ローラー１６が振れ止め用レール部４８ｂ内に嵌合し、裏面側下端のガイドレールユニット１４の上側の内扉用ガイドレール２０の直線状ガイドレール部２０ａ内に、地板６の中央部下側の位置固定ガイドローラー５０が嵌合することにより、内側移動経路９内で横動自在に支持される。このように内扉本体１が内側移動経路９内で横動自在に支持された状態では、図１３、図１５、及び図１６に示すように、内扉本体１の裏面下端に取り付けられているガイドレールユニット１４の取付け用板部１４ｃ，１４ｄは、地板６の前端面と内扉本体（１）の裏面との間に位置し、外扉用ガイドレール１９と内扉用ガイドレール２０は、地板６の下側に入り込んでいる。
【００２３】
平行水平揺動アーム２１，２２を介して裏面側上端に横動体３０が連結されている外扉本体２は、図１２に示すように当該横動体３０が吊下げ用ガイドレール４６の主ガイドレール部４７内に嵌合して、当該横動体３０の長さ方向両端の軸受け部材３２，３３における支持用ローラー３６，３７が主ガイドレール部４７の支持レール部４７ａ上に転動自在に載置支持されると共に、軸受け部材３２，３３における上下一対の振れ止め用ローラー３８ａ，３８ｂ及び３９ａ，３９ｂが主ガイドレール部４７の上下一対の振れ止め用レール部４７ｂ，４７ｃに嵌合し、更に、外扉本体２の内側辺内側に設けられた外扉位置決め用ローラー４５が、内扉本体１の裏面側下端のガイドレールユニット１４の下側の外扉用ガイドレール１９に上向きに嵌合することにより、外側移動経路１０内での横動と、当該外側移動経路１０と内側移動経路９との間での前後平行移動が可能に支持される。このように外扉本体２が組み込まれた状態では、外扉位置決め用ローラー４５が先端上側に軸支された水平支持板４４は、図１３、図１５、及び図１６に示すように、内扉本体１の下端レベルよりも低い高さにあって、外扉本体２が外側移動経路１０内にあるとき、内扉本体１は、水平支持板４４の上側で内側移動経路９内を横動することが出来る。
【００２４】
以下、内扉本体１と外扉本体２の開閉動作について具体的に説明すると、図１及び図２に示すように、内扉本体１と外扉本体２が内側移動経路９内で直列する全閉状態にあるときは、先に説明したように、内扉本体１は、内側移動経路９内の一端側の内扉閉じ位置Ａにあり、外扉本体２は、内側移動経路９内の他端側の外扉閉じ位置Ｂにある。このとき、上端側が左右一対のローラーユニット１２，１３（図１７参照）を介して吊下げ用ガイドレール４６の副ガイドレール部４８に吊り下げられている内扉本体１は、図６に示すように、この内扉本体１の裏面側下端の内扉用ガイドレール２０における直線状ガイドレール部２０ａの一端、即ち、この内扉本体１の内側辺側の端部に、地板６側の位置固定ガイドローラー５０が嵌合していることにより、上側２点と下側１点の合計３点で上下垂直姿勢に保持されている。
【００２５】
一方、図５に示すように、外扉本体２を吊り下げている平行水平揺動アーム２１，２２は、外扉本体２の内側辺側の平行水平揺動アーム２１の姿勢制御用ガイドローラー４１が、内扉本体１側の屈曲形ガイドレール溝１７内の、内扉本体１の内側辺側の端部に位置していることにより、捩じりコイルバネ２７，２８（図２２参照）の付勢力と相俟って横動体３０側に倒伏した状態にある。そして外扉本体２の下端側の外扉位置決め用ローラー４５は、図６に示すように、内扉本体１の裏面側下端の外扉用ガイドレール１９における円弧形ガイドレール部１９ａの、内扉本体１の裏面から最も内側に離れた端部内にあって、外扉本体２の下端内側辺を内側に引き込んでおり、この結果、外扉本体２が内側移動経路９内において上下垂直姿勢に保持されている。尚、このとき、図５及び図６に示すように、外扉本体２の内側辺の突条部２ａが内扉本体１の内側辺の凹入段部１ａの外側に重なった状態にある。
【００２６】
上記の内扉本体１と外扉本体２が内側移動経路９内で直列する全閉状態は、図５に示すように、内扉本体１の外側辺側のローラーユニット１３が備えるクッション材１８（図１７参照）が、ガイドレールユニット１４の一端を支持するガイドレール支持ユニット４９ａに隣接し、外扉本体２の外側辺側の軸受けユニット２４が備えるストッパー２９のクッション材２９ａ（図２２，２３参照）がガイドレールユニット１４の他端を支持するガイドレール支持ユニット４９に隣接すると共に、外扉本体２が平行水平揺動アーム２１，２２から受ける捩じりコイルバネ２７，２８（図２２参照）の付勢力で横動体３０に接近する内向きに付勢されていることにより、保持されている。
【００２７】
図２に示す全閉状態から外扉本体２を開動させて、図２に示す外扉閉じ位置Ｂのある側を開くときは、外扉本体２を内扉本体１のある側へ一定以上の操作力で開動させる。この結果、平行水平揺動アーム２１，２２と横動体３０が外扉本体２と一体に内扉本体１のある側へ移動することになるが、平行水平揺動アーム２１の小アーム部４０に軸支されている姿勢制御用ガイドローラー４１が内扉本体１側の屈曲形ガイドレール溝１７によって内側へ誘導される結果、外扉本体２の開動に伴って平行水平揺動アーム２１，２２が捩じりコイルバネ２７，２８の付勢力に抗して外向きに平行揺動することにより、外扉本体２は、開動に伴って内側移動経路９内から外側移動経路１０内へ平行移動し、内扉閉じ位置Ａに位置する内扉本体１の内側辺と突き合うことなく、外側移動経路１０内の外扉退避位置Ｃ（図３の仮想線参照）に移動する。この動作時の外扉本体２の下端は、外扉位置決め用ローラー４５が、図６に示す内扉本体１側の外扉用ガイドレール１９における円弧形ガイドレール部１９ａによって誘導される結果、外扉本体２の上端側と平面視で同一軌跡上を移動し、外側移動経路１０内の外扉退避位置Ｃ（図３の仮想線参照）に移動する。即ち、円弧形ガイドレール部１９ａは、外扉本体２の上端側の姿勢制御用ガイドローラー４１が内扉本体１側の屈曲形ガイドレール溝１７内を移動するときの外扉本体２の上端の移動経路と平面視で同一の移動経路上で当該外扉本体２の下端を移動させることができるように、外扉位置決め用ローラー４５を案内できる形状に構成されている。
【００２８】
更に外扉本体２を開動させると、平行水平揺動アーム２１の小アーム部４０に軸支されている姿勢制御用ガイドローラー４１は、内扉本体１側の屈曲形ガイドレール溝１７から外れて、内扉本体１の裏面上端の帯状基板１１に当接する起立姿勢となり、平行水平揺動アーム２１，２２が横動体３０から起立した平行姿勢で外扉本体２の上端を外側移動経路１０内の位置に保持し、外扉本体２の下端は、図６に示す外扉位置決め用ローラー４５が、内扉本体１の下端側の外扉用ガイドレール１９の円弧形ガイドレール部１９ａ内から直線状ガイドレール部１９ｂ内に移ることにより、内側移動経路９内から外側移動経路１０内へ平行移動することになる。
【００２９】
外側移動経路１０内の外扉退避位置Ｃ（図３の仮想線参照）に移動した外扉本体２を更に開動させると、図７に示すように、外扉本体２は、横動体３０及び平行起立姿勢の平行水平揺動アーム２１，２２と共に外側移動経路１０内を横動し、図３に示す内扉閉じ位置Ａにある内扉本体１の外側に重なる外扉開き位置Ｄに達する。このときの外扉本体２の下端の外扉位置決め用ローラー４５は、図８に示すように内扉本体１の裏面下端の外扉用ガイドレール１９における直線状ガイドレール部１９ｂ内を横動しており、外扉本体２は上下垂直姿勢を保って外側移動経路１０内を直進できる。又、外扉本体２の上端側に、内扉本体１に接近する方向の外力が作用しても、当該外力によって平行水平揺動アーム２１，２２が横動体３０側に接近移動する側に揺動することは、平行水平揺動アーム２１が備える姿勢制御用ガイドローラー４１が内扉本体１側の帯状基板１１に当接しているので、阻止されている。外扉本体２が外側移動経路１０内の終端の外扉開き位置Ｄに達したとき、図７に示すように、外扉本体２の上端外側辺側の軸受けユニット２４が備えるストッパー２９のクッション材２９ａが、内扉閉じ位置にある内扉本体１の凹入段部１ａを形成する内側辺の端面に衝突して停止する。
【００３０】
上記のように外扉本体２を外側移動経路１０内の終端の外扉開き位置Ｄに移動させて、収納空間３の、外扉閉じ位置Ｂにあった外扉本体２によって閉じられていた領域を開くことができるが、この状態から元の全閉状態に復帰させるときは、外扉開き位置Ｄにある外扉本体２を上記とは逆の手順で閉動させることにより、当該外扉本体２は、外側移動経路１０内を外扉退避位置Ｃまで横動した後に、外扉退避位置Ｃから内側移動経路９内の外扉閉じ位置Ｂまで、先の開動時とは逆の動作によって自動的に平行移動して、全閉状態に復帰する。
【００３１】
次に図２に示す全閉状態から内扉本体１を開動させて、内側移動経路９内の内扉閉じ位置Ａにあった内扉本体１で閉じられていた収納空間３の領域を開くときは、内側移動経路９内の内扉閉じ位置Ａにある内扉本体１を一定以上の操作力で開動させる。この結果、図５に示す外扉本体２を内扉本体１側に開動させたときと同様に、内扉本体１と外扉本体２とが互いに突き合う方向に相対移動するので、内扉本体１の裏面上端の内側辺側のローラーユニット１２における屈曲形ガイドレール溝１７が、外扉本体２側の平行水平揺動アーム２１を、姿勢制御用ガイドローラー４１を介して外向きに起立揺動させることにより、外扉本体２を外扉閉じ位置Ｂから外側移動経路１０内の外扉退避位置Ｃへ外向きに平行移動させ、当該外扉退避位置Ｃへ退出した外扉本体２の内側へ内扉本体１が内側移動経路９内を横動することになる。
【００３２】
尚、この動作時には、内側移動経路９内を直進する屈曲形ガイドレール溝１７によって外扉本体２側の平行水平揺動アーム２１の小アーム部４０を、接近移動してくる内扉本体１に向かって内側へ揺動させることになるので、非常に抵抗が多きくなるところであるが、このとき平行水平揺動アーム２１を介して外扉本体２に作用している内扉本体１からの押圧力によって、外扉本体２の裏面上端の外側辺に設けられているストッパー２９がガイドレール支持ユニット４９ｂに押し付けられるとき、当該ストッパー２９を斜め外向きに滑動させるカム４９ｃをガイドレール支持ユニット４９ｂに突設しておくことにより、外扉閉じ位置Ｂにある外扉本体２を内扉本体１空の押圧力で円滑に外扉退避位置Ｃに平行移動させることができる。
【００３３】
図９及び図１０に示すように、内扉本体１を、図４に示す内側移動経路９内の終端の内扉開き位置Ｅに到達させたとき、外扉本体２は当該内扉開き位置Ｅに到達した内扉本体１の外側に重なる外扉退避位置Ｃに退避している。この状態では、外扉本体２の裏面上端の外側辺のストッパー２９の先端がガイドレール支持ユニット４９ｂに当接しているので、外扉本体２は、外扉退避位置Ｃを超える移動を阻止されている。一方、内扉本体１は、外扉本体２のクッション材２９ａに内側辺の端面が当接して、内扉開き位置Ｅを超える移動を阻止されている。
【００３４】
上記のように、図２に示す全閉状態から内扉本体１を開動させて、内側移動経路９内の内扉閉じ位置Ａにあった内扉本体１で閉じられていた収納空間３の領域を開くことができるが、この状態から元の全閉状態に戻すときは、内側移動経路９内の一端の内扉開き位置Ｅにある内扉本体１を元の内扉閉じ位置Ａまで閉動させれば良い。この場合、外扉退避位置Ｃにある外扉本体２の内側から内扉本体１が抜け出す直前からの内扉本体１と外扉本体２との間の相対離間運動により、上記の内扉本体１と外扉本体２との間の相対接近運動によって生じた外扉本体２の外側への平行移動とは逆に、内扉本体１側の屈曲形ガイドレール溝１７と外扉本体２側の平行水平揺動アーム２１の姿勢制御用ガイドローラー４１とによって、外扉本体２が外扉退避位置Ｃから元の外扉閉じ位置Ｂに向かって内側へ平行移動することになる。従って、図２に示すように、内扉本体１が内側移動経路９内の内扉閉じ位置Ａに達したとき、外扉本体２が外扉退避位置Ｃから元の外扉閉じ位置Ｂに復帰し、内外両扉本体１，２は、内側移動経路９内で直列する全閉状態に復帰する。
【００３５】
図３に示すように、外扉本体２を内扉本体１の外側に開動させた外扉開き状態から元の全閉状態に復帰させるときの外扉本体２の閉動操作時に、内扉閉じ位置Ａにある内扉本体１が外扉本体２の閉動に伴って不測に開動する可能性や、図４に示すように、内扉本体１を外扉本体２の内側に開動させた内扉開き状態から元の全閉状態に復帰させるときの内扉本体１の閉動操作時に、外扉退避位置Ｃにある外扉本体２が内扉本体１の閉動に伴って不測に開動する可能性は考えられるが、実際には、内扉本体１を横動可能に吊り下げている内扉用ガイドレール２０とローラーユニット１２，１３の各ローラー１５，１６との間の横動抵抗や、外扉本体２に平行水平揺動アーム２１，２２を介して連結されている横動体３０を横動可能に吊り下げている主ガイドレール部４７と横動体３０側の各ローラー３６〜３９ｂとの間の横動抵抗を利用して、操作対象ではない内扉本体１や外扉本体２が不測に横動することがないように構成できる。
【００３６】
尚、以上に示した本発明の一実施例では、外側移動経路１０上の外扉本体２の横動と、内側移動経路９と外側移動経路１０との間の外扉本体２の前後平行移動とを可能にする外扉吊下げ横動手段５２は、図５、図７、及び図９などに示すように、平行水平揺動アーム２１，２２、横動体３０、吊下げ用ガイドレール４６の主ガイドレール部４７、平行水平揺動アーム２１の小アーム部４０に軸支された姿勢制御用ガイドローラー４１、及び内扉本体１の裏面上端に設けられた屈曲形ガイドレール溝１７などから構成されている。又、内側移動経路９上で直列する内外両扉本体１，２が相対的に接近移動したときに外扉本体２を外扉閉じ位置Ｂから外扉退避位置Ｃへ平行移動させる外扉下端移動経路規制手段５３は、図６、図８、図１０、図１３、図１５、及び図１６などに示すように、内外両扉本体１，２が内側移動経路９上で直列する全閉状態にあるときに、内扉本体１の下端より低い位置で当該内扉本体１の裏側へ延出する水平支持板４４と、この水平支持板４４の遊端上側に垂直支軸によって軸支された外扉位置決め用ローラー４５と、内扉本体１の裏面下端部に取り付けられて外扉位置決め用ローラー４５が嵌合する下側開放の外扉用ガイドレール１９によって構成されている。
【００３７】
更に、内扉本体１の上端側を、内側移動経路９内で横動自在に吊り下げる内扉上端側吊下げ手段５４は、図１１及び図１４などに示すように、内扉本体１の裏面上端のローラーユニット１２，１３と、吊下げ用ガイドレール４６の副ガイドレール部４８とで構成され、内扉本体１の下端側の前後揺れを防止する内扉下端側揺れ止め手段５５は、図６、図８、図１０、図１３、及び図１６などに示すように、内扉本体１の裏側に取り付けられた上側開放の内扉用ガイドレール２０と、内扉本体１が内扉閉じ位置Ａと内扉開き位置Ｅとの間を横動する間中、前記内扉用ガイドレール２０に嵌合している少なくとも１つの位置固定ガイドローラー５０とから構成されている。
【産業上の利用可能性】
【００３８】
本発明の引き違い戸装置は、比較的小型の収納家具における収納空間の開閉に好適な引き違い戸装置として活用出来る。
【符号の説明】
【００３９】
１    内扉本体
１ａ    凹入段部
２    外扉本体
２ａ    突条部
３    収納空間
４ａ，４ｂ    左右両側板
５    天板
６    地板
７，８    把手部材
９    内側移動経路
１０    外側移動経路
１１    帯状基板
１２，１３    ローラーユニット
１２ａ，１３ａ    垂直基台部
１２ｂ    上端水平基台部
１４    ガイドレールユニット
１４ａ    端部領域
１４ｂ    直線状領域
１４ｃ，１４ｄ    取付け用板部
１５    支持用ローラー
１６    振れ止め用ローラー
１７    屈曲形ガイドレール溝
１８，２９ａ    クッション材
１９    外扉用ガイドレール
１９ａ    円弧形ガイドレール部
１９ｂ    直線状ガイドレール部
２０    内扉用ガイドレール
２０ａ    直線状ガイドレール部
２１，２２    平行水平揺動アーム
２１ａ，２２ａ    突起部
２３，２４    軸受けユニット
２３ａ，２４ａ    取付け用基板
２３ｂ，２４ｂ    軸受け部材
２５，２６    回転軸
２７，２８    捩じりコイルバネ
２９    ストッパー
３０    横動体
３１    溝形型鋼
３１ａ，３１ｂ    突条部
３２，３３    軸受け部材
３２ａ，３３ａ    突出軸部
３２ｂ，３３ｂ    ビス
３４，３５    垂直支軸
３６，３７    支持用ローラー
３８ａ〜３９ｂ    振れ止め用ローラー
４０    小アーム部
４１    姿勢制御用ガイドローラー
４２，４３    ストッパー
４４    水平支持板
４５    外扉位置決め用ローラー
４６    吊下げ用ガイドレール
４７    主ガイドレール部
４７ａ，４８ａ    支持レール部
４７ｂ，４７ｃ，４８ｂ    振れ止め用レール部
４８    副ガイドレール部
４９ａ，４９ｂ    ガイドレール支持ユニット
５０    位置固定ガイドローラー
５１    軸受け板
５２    外扉吊下げ横動手段
５３    外扉下端移動経路規制手段
５４    内扉上端側吊下げ手段
５５    内扉下端側揺れ止め手段
Ａ    内扉閉じ位置
Ｂ    外扉閉じ位置
Ｃ    外扉退避位置
Ｄ    外扉開き位置
Ｅ    内扉開き位置
【図１】
0006877784.tif 000002
【図２】
0006877784.tif 000003
【図３】
0006877784.tif 000004
【図４】
0006877784.tif 000005
【図５】
0006877784.tif 000006
【図６】
0006877784.tif 000007
【図７】
0006877784.tif 000008
【図８】
0006877784.tif 000009
【図９】
0006877784.tif 000010
【図１０】
0006877784.tif 000011
【図１１】
0006877784.tif 000012
【図１２】
0006877784.tif 000013
【図１３】
0006877784.tif 000014
【図１４】
0006877784.tif 000015
【図１５】
0006877784.tif 000016
【図１６】
0006877784.tif 000017
【図１７】
0006877784.tif 000018
【図１８】
0006877784.tif 000019
【図１９】
0006877784.tif 000020
【図２０】
0006877784.tif 000021
【図２１】
0006877784.tif 000022
【図２２】
0006877784.tif 000023
【図２３】
0006877784.tif 000024
【図２４】
0006877784.tif 000025
【図２５】
0006877784.tif 000026
【図２６】
0006877784.tif 000027